(57)【要約】【課題】金具等を用いることなく、少い労力と短時間の作業で安全に行える、遠心分離機の濾材固定方法を提供することにある。【解決手段】回転バスケットの内周面に濾材を貼着した濾過面に原液スラリーを供給して濾過し、濾材表面に形成されたケーキ層を掻取刃で削り取って回収する遠心分離機において、ケーキ層によって、より詳しくは、回転バスケットの内周面の上下両端縁に環状のケーキ層を形成することによって、濾材を回転バスケットの内周面に固定することを特徴とする遠心分離機の濾材固定方法。【選択図】図１
2005205283.tif 000002
【特許請求の範囲】
【請求項１】
回転バスケットの内周面に濾材を貼着した濾過面に、原液スラリーを供給して濾過し、濾材表面に形成されたケーキ層を掻取刃で削り取って回収する遠心分離機において、ケーキ層によって濾材を回転バスケットの内周面に固定することを特徴とする遠心分離機の濾材固定方法。
【請求項２】
濾材を固定するケーキ層が、回転バスケットの上下両端縁に形成した環状のケーキ層であることを特徴とする請求項１記載の遠心分離機の濾材固定方法。
【請求項３】
回転バスケットの内周面に濾材を貼着した濾過面に、原液スラリーを供給して濾過し、濾材表面に形成されたケーキ層を掻取刃で削り取って回収する遠心分離機において、ケーキ層によって濾材が回転バスケットの内周面に固定されていることを特徴とする遠心分離機。
【発明の詳細な説明】
【技術分野】
【０００１】
本発明は、濾材の固定方法に関し、より詳細には、遠心分離機に用いられる濾材の固定方法および遠心分離機に関する。
【背景技術】
【０００２】
スラリーを遠心濾過機にて濾過分離し、液体成分と固体成分とに分けることは広く行われている。一般に、遠心分離機では、回転バスケット内周面に、遠心力によって濾材を貼着した濾過面に、処理すべき原液スラリーを所定量供給し、液体成分は遠心力の作用によって濾材を通過してケーシング内に入り、濾液排出口より機外へ排出される。一方、固体成分は濾材上に残って濾過の進行とともにケーキ層を形成する。ケーキ層が所定の厚みに達したならば掻取アームを油圧シリンダ等により回転バスケットの半径方向外向きに旋回し、先端に付設している掻取刃により、ケーキ層が所定の厚みとなるまでケーキ分を削り取り、機外に排出する。また、このような遠心分離機においては、ケーキ分の掻取り時および回転バスケットの回転停止時に濾材の脱落が発生する恐れがあり、回転バスケットの高さが増すにつれてその危険性は大きくなる。そのため、濾材を回転バスケット内周面に固定する必要がある。
【０００３】
従来、濾材の固定方法としては、回転バスケットの上下周端部全周に沿って刻設された溝に、ハンマー、ドライバー等を用いて濾材を埋め込むことで、濾材を回転バスケットに固定する方法、または、ボルトや環状の濾材固定金具を用いて、濾材を回転バスケットに固定する方法が用いられる。例えば、円周方向の伸長方向にのみ可動する係着手段を用い、回転バスケットの遠心力により環状の濾材固定リングの直径を拡大して、濾材を固定する遠心濾過機用濾材の固定金具が提案されている（例えば、特許文献１参照）。
【０００４】
しかしながら、回転バスケットに刻設された溝に濾材を埋め込むことで固定する方法では、多くの労力、時間および経験が必要である。また、濾材固定金具を用いる場合、バスケット回転中の固定金具の脱落により遠心分離機を損傷する恐れがある。さらに、上記の濾材固定方法ではいずれの場合も、遠心分離機が大型の場合、人が遠心分離機内に入っての作業となるため、酸素欠乏症、液体成分に有機溶剤を使用している場合には有機ガス中毒の危険性がある、などの問題があった。
【特許文献１】特開平１０−１８０１４４号公報
【発明の開示】
【発明が解決しようとする課題】
【０００５】
本発明の目的は、金具等を用いることなく、少い労力と短時間の作業で安全に行える、遠心分離機の濾材固定方法および遠心分離機を提供することにある。
【課題を解決するための手段】
【０００６】
上記の目的を達成するため、本発明は以下の構成を採用する。すなわち、
（１）回転バスケットの内周面に濾材を貼着した濾過面に、原液スラリーを供給して濾過し、濾材表面に形成されたケーキ層を掻取刃で削り取って回収する遠心分離機において、ケーキ層によって濾材を回転バスケットの内周面に固定することを特徴とする遠心分離機の濾材固定方法。
【０００７】
（２）濾材を固定するケーキ層が、回転バスケットの上下両端縁に形成した環状のケーキ層であることを特徴とする前記（１）記載の遠心分離機の濾材固定方法。
【０００８】
（３）回転バスケットの内周面に濾材を貼着した濾過面に、原液スラリーを供給して濾過し、濾材表面に形成されたケーキ層を掻取刃で削り取って回収する遠心分離機において、ケーキ層によって濾材が回転バスケットの内周面に固定されていることを特徴とする遠心分離機。
【発明の効果】
【０００９】
本発明によれば、以下に説明するとおり、回転バスケット内周面に貼着される濾材を、金具等を用いることなく、少ない労力と短時間で、酸素欠乏症、有機ガス中毒の恐れもなく、安全に固定できる。よって、濾材取り付け作業の省力化を図ることにより、遠心分離機の運転稼動率を向上させ生産性を上げることができる。
【発明を実施するための最良の形態】
【００１０】
以下、本発明についてさらに詳細に説明する。
【００１１】
本発明では、回転バスケット内周面に濾材を固定するケーキ層は、回転バスケットの上下両端縁に形成した環状のケーキ層であることが好ましい、この環状のケーキ層を形成するための方法としてはどのような方法を用いてもかまわないが、例えば、以下に説明する刃先の上下両端部に切り欠き加工を施した掻取刃を用いる方法の他、固定式の掻取刃では、中央部よりも上下両端部の刃の高さが小さい掻取刃に変更する。上下に可動する掻取刃の場合、掻取刃の可動範囲を中央部よりも上下両端部において削り量を少なくするように調整するなどがある。
【００１２】
使用する濾材には、特に制限はなく、濾紙、濾布、濾網、または、濾材の強度を増すために濾心材を使用したものなどがある。
【００１３】
また、本発明の好ましい形態によれば、濾材を固定するという観点から、スラリー中の固体成分が遠心力によって圧縮され、ケーキ層を形成した際、ある程度の強度を有する物質、例えば、無機塩、活性炭、シリカ系結晶である固体成分の場合に効果的である。また、液体成分においては、水系、有機系を問わず、いずれでもよい。具体的には、無機塩をシクロヘキサンなどの有機溶媒中に分散、あるいは析出させたスラリーの濾過分離に用いることができる。
【００１４】
以下、本発明の実施形態の例を縦型遠心分離機に適用した場合を例にとって、図画を参照しながら説明する。
【００１５】
図１は本発明の遠心分離機の一例を示す概略断面図である。
【００１６】
図１の遠心分離機において、回転バスケット１の内周面に濾材２か゜貼着されて濾過面が形成されている。この遠心分離機に処理すべき原液スラリー８を所定量供給すると、液体成分９は遠心力の作用によって濾材２を通過してケーシング内に入り、液体成分排出口１１より機外へ排出される。一方、固体成分１０は濾材２上に残って濾過の進行とともにケーキ層３、４、５を形成する。ケーキ層３、４、５が所定の厚みに達したならば掻取アームを油圧シリンダ等により回転バスケット１の半径方向外向きに回動させ、先端に付設している掻取刃６をケーキ層に圧接させて、ケーキ層３、４、５が所定の厚みとなるまでケーキ分を削り取り、排出シュート１２を経て機外に排出するようになっている。
【００１７】
本発明は、上記のように、回転バスケット１の内周面に濾材２を貼着した濾過面に、原液スラリー８を供給して濾過分離を行うことによって、濾材２の表面にケーキ層３、４、５が形成される。このうち３のケーキ層は、濾材２と掻取刃６が接触することを防止するため削り取らず、入れ替わることのない残存ケーキ層である、この残存ケーキ層３の厚みが薄いと濾材が脱落する危険性が高くなる、厚いと濾材が脱落する危険性は小さくなるが、スラリー中の液体成分の透過速度が低下し、生産性が悪化する。ゆえに、残存ケーキ層３は濾材２が脱落しない最小の厚みに設定することが望ましい、一般に、濾材２に濾布を用いる場合、残存ケーキ層３の厚みは５ｍｍ〜２０ｍｍであることが多い。
【００１８】
つぎに、ケーキ層を掻取刃６で削り取る際、掻取刃６の刃先の両端部を切り欠いて切り欠き部分７を形成し、刃先の上下両端に切り欠き部分７を有する掻取刃６を用いることによって、ケーキ層４のみが削り取られ、上下両端縁に環状のケーキ層５が形成される。この環状のケーキ層５が濾材止めとして作用し濾材２の脱落を防止することができる。また、環状のケーキ層の形態としては、幅２０ｍｍ〜８０ｍｍ、高さ（厚み）２０ｍｍ〜６０ｍｍであることが好ましい。
【００１９】
本発明は、縦型遠心分離機に限らず、横型遠心分離機にも応用することができるが、その応用範囲が、これらに限られるものではない。
【実施例】
【００２０】
以下に実施例を用いて、本発明をさらに具体的に説明するが、本発明はこれらによって何ら限定されるものではない。
【００２１】
実施例１
固体成分として塩化アンモニウム、液体成分がシクロヘキサンであるスラリー（塩化アンモニウム濃度２０ｗｔ％）をタナベウィルテック社製ＴＯＰ−４８−８０型遠心分離機を用いて、濾過分離した。濾材固定機構を持たない回転バスケットの内周面にポリエステル製濾布を貼着し、回転数約８００ｒｐｍで回転させて、上記スラリーを濾過分離した。ついで、バスケット回転数を約４０ｒｐｍまで低下させた後、濾布の表面に形成した塩化アンモニウムのケーキ層を、刃先の上下両端に切り欠き加工を施した掻取刃によって、濾布表面の残存ケーキ層の厚みが１０ｍｍとなるまでケーキ分の掻取を行った。その結果、残存ケーキ層内周面の上下両端縁に、幅３０ｍｍ、高さ（厚み）３０ｍｍの環状のケーキ層が形成された。この状態で前記スラリーの濾過分離、掻取操作を１０００回実施したが、濾布の脱落は一度も発生しなかった。
【００２２】
比較例１
刃先の上下両端に切り欠き加工を施していない掻取刃を用いて、実施例１と同一条件で濾過分離、掻取操作を行った結果、１５回目の掻取時に濾布の脱落が発生した。
【００２３】
また、濾布交換後に、濾過分離、掻取操作の再開を数回繰り返し行ったが、そのすべてが掻取回数２０回以内の掻取時に濾布の脱落が発生した。
【産業上の利用可能性】
【００２４】
本発明は、金具等を用いることなく、少い労力と短時間の作業で安全に行える、遠心分離機の濾材固定方法であり、縦型遠心分離機に限らず、横型遠心分離機にも応用することができる。
【図面の簡単な説明】
【００２５】
【図１】本発明の遠心分離機の一例を示す概略断面図である。
【符号の説明】
【００２６】
１：回転バスケット
２：濾材
３：残存ケーキ層
４：削り取るケーキ層
５：環状のケーキ層
６：掻取刃
７：刃先切り欠き部分
８：原液スラリー
９：液体成分
１０：固体成分
１１：液体成分排出口
１２：個体成分排出シュート
【図１】
2005205283.tif 000003